(57)【要約】【課題】従来の洗濯機は、からの衣類取出口の外周部と水槽の開口部の外周部との間の隙間を塞ぐためのシール部材を設けているが、前記シール部材は、駆動力の付与よって変化する隙間に対応することができず、その結果隙間を塞ぐことができないとの課題が生じていた。【解決手段】駆動力の付与によって変化する衣類取出口の外周部と水槽の開口部の外周部の間の隙間にシール部材が追従する形状をもたせることにより解決する洗濯機を提供する。【選択図】図１
2010005100.tif 000002
【特許請求の範囲】
【請求項１】
衣類取出口を有する本体と、前記本体内に揺動自在に吊止され、前記衣類取出口に対向する位置に開口部を有する水槽と、水槽の傾斜角度を変える水槽上下駆動機構と、前記水槽内に回転自在に設けられた洗濯兼脱水槽と、前記衣類取出口の外周部と前記開口部の外周部との間に配置されたシール部材とを備えたことを特徴とする洗濯機。
【請求項２】
前記水槽は、前記開口部の中心軸が前記衣類取出口の中心軸に対して傾斜していることを特徴とする請求項１に記載の洗濯機。
【請求項３】
前記シール部材は、複数のヒダを有することを特徴とする請求項２に記載の洗濯機。
【請求項４】
前記シール部材は、ヒダの数が前側と後側で異なることを特徴とする請求項３に記載の洗濯機。
【請求項５】
前記シール部材は、ヒダの長さが前側と後側で異なることを特徴とする請求項３に記載の洗濯機。
【請求項６】
前記シール部材は、ヒダが屈曲部を有することを特徴とする請求項３に記載の洗濯機。
【請求項７】
前記シール部材は、略円筒形状で側面が自在に変形可能であることを特徴とする請求項１と請求項２に記載の洗濯機。
【請求項８】
前記シール部材は、上部と下部に複数のヒダを有し、側面が自在に変形可能な略円筒形状の中間部を有することを特徴とする請求項１から請求項３に記載の洗濯機。
【請求項９】
前記シール部材は、略円筒形状で複数段に分かれて伸縮することを特徴とする請求項１と請求項２に記載の洗濯機。
【請求項１０】
前記シール部材は、略円筒形状で中央部の径が上部、および下部の径よりも大きいことを特徴とする請求項１から請求項３に記載の洗濯機。
【請求項１１】
前記シール部材は、内側と外側に二重に配置されていることを特徴とする請求項１から請求項１０に記載の洗濯機。
【請求項１２】
前記シール部材と、前記水槽の開口部とを、気密を確保しつつ摺動可能に接続する摺動気密機構を有することを特徴とする請求項１から請求項６に記載の洗濯機。
【請求項１３】
前記シール部材は、内部、内側、外側のすくなくともいずれかの場所に、円形状を維持するための骨材備えたことを特徴とする請求項１から請求項１２に記載の洗濯機。
【請求項１４】
前記シール部材は、複数の異なる材質を組みあわせて構成したことを特徴とする請求項１から請求項１３に記載の洗濯機。
【請求項１５】
前記シール部材は、同一材料で厚みの異なる部分を有することを特徴とする請求項１から請求項１４の記載の洗濯機。
【請求項１６】
前記シール部材の上部と下部のいずれか、もしくは両方に、前記衣類取出口、および前記水槽の開口部に固定するシール部材取付具を備えたことを特徴とする請求項１から請求項１５の記載の洗濯機。
【請求項１７】
前記シール部材取付具は、ファスナーであることを特徴とする請求項１から請求項１６の記載の洗濯機。
【請求項１８】
前記シール部材取付具は、面状ファスナーであることを特徴とする請求項１から請求項１６の記載の洗濯機。
【請求項１９】
衣類の乾燥工程時に前記洗濯兼脱水槽内に温風を吹き込む温風送風手段を備えたことを特徴とする請求項１から請求項１８の記載の洗濯機。
【発明の詳細な説明】
【技術分野】
【０００１】
本発明は、水槽の傾斜角度を変える水槽上下駆動機構を備えた洗濯機に関するものである。
【背景技術】
【０００２】
従来から衣類取出口の外周部と水槽の開口部の外周部との間の隙間をシールするシール部材により水の飛散を防止し内蓋が不要となる構成が提案されている。
【０００３】
【特許文献１】特開平１１−３４７２８０
【発明の開示】
【発明が解決しようとする課題】
【０００４】
上記特許文献1の構成では、水槽の傾斜角度を変える水槽上下駆動機構の駆動力の付与によって変化する衣類取出口の外周部と水槽の開口部の外周部との間の隙間に、シール部材が対応できず、衣類取出口の外周部と水槽の開口部の間の隙間をシールできない課題がある。
【課題を解決するための手段】
【０００５】
この発明は、上述のような課題を解消するためになされたもので水槽の傾斜角度を変える水槽上下駆動機構の駆動力の付与によって変化する衣類取出口の外周部と水槽の開口部の間の隙間の変化に対応して、シール部材が追従するものである。
【発明の効果】
【０００６】
本発明の洗濯機は、シール部材が複数のヒダを有することにより、シール部材は衣類取出口の外周部と水槽の開口部の間の隙間の変化に無理なく追従できる。
【０００７】
本発明の洗濯機は、シール部材が略円筒形状で側面が自在に変化可能であるため、シール部材は衣類取出口の外周部と水槽の開口部の間の隙間の変化に無理なく追従できる。
【０００８】
本発明の洗濯機は、シール部材が上部と下部に複数のヒダを有し、側面が自在に変形可能な略円筒形状の中間部を有することにより、シール部材は洗濯取出口の外周部と水槽の開口部の間の隙間の変化に無理なく追従できる。
【０００９】
本発明の洗濯機は、シール部材が略円筒形状で複数段に分かれて伸縮することにより、シール部材は衣類取出口の外周部と水槽の間の隙間の変化に無理なく追従できる。
【発明を実施するための最良の形態】
【００１０】
実施の形態１．
図１は、本発明の実施の形態１〜３に係る洗濯機１００の概略構成を示す縦断面説明図である。ここでは、この洗濯機１００が、水槽２０に収容された洗濯物の洗浄工程や脱水工程、乾燥工程等を自動で行なうことが可能な全自動洗濯乾燥機であり、且つ水槽の傾斜角度を変える水槽上下駆動機構３１を有する場合を例に説明するものとする。なお、図１を含め、以下の図面では各構成部材の大きさの関係が実際のものとは異なる場合がある。また、図の左側を洗濯機前方とし、右側を洗濯機後方として説明するものとする。
【００１１】
図２は略円形開口を有する筒形状の衣類取出口１１と、同じく略円形の開口部を有し、内部に洗濯衣類を収納可能な水槽２０が、同一軸上に無く、角度を有して配置されている場合に、両部材を接続可能とするシール部材６０を説明する。前記シール部材は、洗濯時の水密及び脱水時の振動伝播の抑制及び乾燥時の気密の機能を備え、且つ水槽２０が上下駆動機構３０にて位置を変動させた場合にも前記機能を十分果たす為に、図３〜６の特徴を有する形状とする。
【００１２】
図３のシール部材は複数のヒダを有し、且つヒダの数が前側と後側で異なることを特徴とする形状である。なお、図の左側をシール部材の前側とし、右側をシール部材の後側とする。
【００１３】
図４のシール部材は複数のヒダを有し、且つヒダの長さが前側と後側で異なることを特徴とする形状である。なお、図の左側をシール部材の前側とし、右側をシール部材の後側とする。
【００１４】
図５のシール部材は複数のヒダを有し、且つヒダが屈曲部を有することを特徴とする形状である。なお、図の左側をシール部材の前側とし、右側をシール部材の後側とする。
【００１５】
図６は、シール部材６０の取付部である衣類取出口１１の外周部を上部、水槽２０の開口部を下部として、上部と下部に複数のヒダを有し、上部と下部のヒダを繋ぐ中間部は樽状の膨らみを有する略円筒形状で、側面が自在に変化可能なことを特徴とする形状である。
【００１６】
実施の形態２．
実施の形態２は実施の形態１のシール部材と異なり、洗濯機の前方側と後方側で形状を同じくしたものである。図７は、洗濯機１００のシール部材６０の取付部である衣類取出口１１の外周部と水槽２０の開口部の間の隙間をシールし、樽状の膨らみを持つ略円筒形状で側面が自在に変化可能なことを特徴とするシール部材である。
【００１７】
図８は、略円筒形状で複数段に別けて伸縮することを特徴とする形状である。
【００１８】
図９は、シール部材６０の取付部である衣類取出口１１の外周部を上部、水槽２０の開口部を下部とし、略円筒形状で中央部が上部、下部の径よりも大きいことを特徴とする形状である。
【００１９】
上記により、衣類取出口の外周部と水槽の開口部の間の隙間が水槽の傾斜角度を変える水槽上下駆動機構の駆動力の付与によって変化してもシール部材６０は追従できる。
【００２０】
実施の形態３.
実施の形態３は図２〜９のシール部材の形状を図１０のように二重に配置することを特徴としたシール部材である。
【００２１】
実施の形態４．
実施の形態４は実施の形態１〜３のシール部材６０の形状と異なり、図１１は、シール部材６０と水槽２０の開口部とを、気密を確保しつつ摺動可能に接続する摺動気密機構を有することを特徴としたシール部材である。
【００２２】
上記の実施の形態１〜４に追加可能な形状として、図１２のシール部材６０の内部、内側、外側の少なくともいずれかの場所に円形状を維持するための骨材を組み付けた形状、または複数の異なる材質を組み合わせて構成した形状、同一材料で異なる部分を有する形状がある。上記の追加により、シール部材６０の剛性の向上、変形の防止を図る。
【００２３】
シール部材６０の取付方法としては、図１３〜１５がある。
【００２４】
図１３は、シール部材６０の上にシール部材取付具６３を取り付け、シール部材取付具６３を回転し、シール部材取付具６３の嵌合爪を衣類取出口１１及び水槽２０取付部の溝をスライドさせ、衣類取出口１１及び水槽２０、シール部材６０、シール部材取付具６３を固定する。また、シール部材６０の上にシール部材取付具６３を取り付け、衣類取出口１１及び水槽２０とシール部材６０、シール部材取付具６３をねじで共締めすることにより、衣類取出口１１及び水槽２０とシール部材６０、シール部材取付具６３を固定する。
【００２５】
図１４、図１５は、衣類取出口１１及び水槽２０の取付部とシール部材の間にシール部材取付具６３である面状ファスナーを設け、衣類取出口１１及び水槽２０の取付部にシール部材６０を固定する。
【００２６】
図１６は、衣類取出口１１及び水槽２０取付部とシール部材６０の間にシール部材取付具６３であるファスナーを設け、衣類取出口１１及び水槽２０の取付部にシール部材６０を固定する。
【図面の簡単な説明】
【００２７】
【図１】実施の形態１〜３に係る洗濯機１００の概略構成を示す縦断面説明図。
【図２】実施の形態１のシール部材の側面説明図。
【図３】実施の形態１のシール部材の側面図。
【図４】実施の形態１のシール部材の側面図。
【図５】実施の形態１のシール部材の側面図。
【図６】実施の形態１のシール部材の斜視図。
【図７】実施の形態２のシール部材の斜視図。
【図８】実施の形態２のシール部材の斜視図。
【図９】実施の形態２のシール部材の側面図。
【図１０】実施の形態３のシール部材の斜視図。
【図１１】実施の形態４のシール部材の側面説明図。
【図１２】実施の形態１〜４に追加可能な形態の縦断面図。
【図１３】実施の形態１〜４取付の天面説明図及び縦断面図。
【図１４】実施の形態１〜４取付の側面説明図。
【図１５】実施の形態１〜４取付の側面説明図。
【図１６】実施の形態１〜４取付の側面説明図。
【符号の説明】
【００２８】
１０  本体、１１  衣類取出口、１２  蓋、１３  洗剤ケース、２０  水槽、２１  洗濯兼脱水槽、２２  攪拌翼、３０  つり棒、３１  水槽上下駆動機構、３２  吊り下げ支持部、４０  駆動部、４１  駆動軸、６０  シール部材、６１  ポンプ、６２  給水口、６３  シール部材取付具、７０  乾燥循環風路、７１  給気口、７２  排気口、７３  温風送風手段、７４  除湿機、７５  弾性体、１００  洗濯機
【図１】
2010005100.tif 000003
【図２】
2010005100.tif 000004
【図３】
2010005100.tif 000005
【図４】
2010005100.tif 000006
【図５】
2010005100.tif 000007
【図６】
2010005100.tif 000008
【図７】
2010005100.tif 000009
【図８】
2010005100.tif 000010
【図９】
2010005100.tif 000011
【図１０】
2010005100.tif 000012
【図１１】
2010005100.tif 000013
【図１２】
2010005100.tif 000014
【図１３】
2010005100.tif 000015
【図１４】
2010005100.tif 000016
【図１５】
2010005100.tif 000017
【図１６】
2010005100.tif 000018